(57)【要約】　　　（修正有）【課題】合成樹脂屑、繊維屑等の廃材を以って長手方向の二種類の土台ブロックと基本ブロック及び端部ブロックを成型し、長手部材のみを各々交差状に並列積層し、前後左右、上下の振動にも優れ、荷重の分散と支持力の増大を果すことを目的としている。【解決手段】長方形土台ブロック１は、山型突部６を下向に数条並設し、次に長方形基本ブロックを該長方形土台ブロックに対して交差状に交互にずらして数条を載置し、その後、該長方形基本ブロック１の上部に該長方形土台ブロックの山型突部６を下向にして再度交差状に並列積層した後に、該山型凹部の一部に対して端部ブロックを嵌合することを特徴としている。【選択図】　図１
2004027807.tif 000002
【特許請求の範囲】
【請求項１】
合成樹脂屑及び繊維屑等を混練したもので成型された長方形土台ブロックと、長方形基本ブロック及び端部ブロックとよりなる軟弱地盤の基礎ブロック基礎施工法において、前記長方形土台ブロックには、長手方向の長手底部に複数以上の山型突部と山型凹部とを一体に成型し、該長方形基本ブロックには、長手底部の一方より山型突部と山型凹部と長手山型部及び山型凹部を介して外方に向って傾斜突出部を設けた突出山型部を一体に形成し、該端部ブロックには、該山型凹部に嵌合する挿嵌三角部を形成し、前記長方形土台ブロックは、地盤に対して該山型突部を下向にして数条並列した後、該長方形土台ブロックの長手底部に対して交差状に交互にずらして数条の長方形基本ブロックを上向に載置し、その後、該長方形基本ブロックの上部に該長方形土台ブロックの該山型突部を下向にして再度交差状に並列積層した後、該山型凹部の一部には、該端部ブロックを嵌装することを特徴とする建築、土木、道路等の軟弱地盤のブロック基礎施工法。
【発明の詳細な説明】
【０００１】
【産業上の利用分野】
本発明は、合成樹脂屑及び繊維屑等の廃材とセメント等を混練して長手方向に成型された長方形のブロックを交差状に３段に積層組立てたことを特徴とする建築、土木、道路等の軟弱地盤のブロック基礎施工法に関するものである。
【０００２】
【従来の技術】
従来この種の軟弱地盤に使用する基礎土台は、上面に対して円錐形、三角形等の単一なブロック製品を列設したものを使用するのが一般的に知られている現状である。
【０００３】
【発明が解決しよとうする課題】
従来のもので述べている単一のブロックでは、各ブロックは、上下、左右及び前後の揺れに対して支持力が大変に弱いと共に、荷重が分散されず、沈下が抑制されないと云う問題点がある。
本発明は、上記の従来の技術の有する問題点に鑑みてなされたものであり、その重要な目的とする所は、長方形土台ブロックと、長方形基本ブロックと端部ブロックとの３種類のブロックを交差状に３段に積層することによって、耐震性に強く、三角形を基礎として、支持力を均一化して荷重の分散が行われ、地盤沈下の抑制力を大とする軟弱地盤のブロック基礎施工法を提供するものである。
【０００４】
【課題を解決するための手段】
上記目的を達成するために、本発明のものは、地盤に対して下向に設置する複数の長方形土台ブロックは、長手方向の長手底部に複数以上の山型突部と山型凹部を形成する。長方形基本ブロックには、長手底部の一方より山型突部と山型凹部と長手山型部及び山型凹部を介して外部に傾斜突出部を設けた突出山型部を一体に形成する。また、山型凹部に嵌合する端部ブロックを設け、これ等を交互に交差することによって、支持力の向上と荷重の分散が行われ、地盤沈下を抑制する効果を達成したものである。
【０００５】
【実施例】
次に、本発明の実施例を図面について説明すると、図１〜図４に示すものは、長方形土台ブロック（１）で、図５〜図８に示すものは、長方形基本ブロック（２）で、図９〜図１０に示すものは、端部ブロック（３）であって、これ等の材料は、塩化ビニール（廃棄プラスチック）または、それに類似した合成樹脂屑と、繊維屑カレットを高速回衛撃摩擦方式（Ｋミキシング工法）でセメント等を混練してゲル状になった原料を金型枠に投入し、転圧、圧縮成型して製品化されるものである。
【０００６】
前記長方形土台ブロック（１）は、長手方向の長手底部（５）の上部に複数以上の山型突部（６）と、山型凹部（７）とを交互に一体的に形成してある。また、該長手底部（５）には、長手方向の一方の側面に数個の係合用の嵌合突起（８）（８）…を、他方の側面には数個の係合用の嵌合凹部（９）（９）…を各々形成してある。
【０００７】
更に、該長方形基本ブロック（２）は、図５に示すように、長手方向の長手底部（１０）の上部に一方より山型突部（１１）と、隣接して山型凹部（１２）と長手山型部（１３）及び山型凹部（１２）を介して、該長手底部（１０）より外部に傾斜突出部（１５）を設けた外部突出山型部（１４）を一体に成型してある。
また、該長方形基本ブロック（２）には、該長手底部（１０）の一方の側面に数個の嵌合突起（１６）（１６）…と、他方の側面には該嵌合突起（１６）（１６）…が嵌着する嵌合凹部（１７）（１７）…を各々形成してある。
【０００８】
更に、前記端部ブロック（３）は、該山型凹部（１２）（１２）…に嵌合する２ヶ所が三角形の挿嵌三角部（１８）（１８）…を形成した変形三角状に形成されている。
【０００９】
次に、基礎ブロックの基礎施工法としては、前記長方形土台ブロック（１）は、基礎の地盤に対して、山型突部（６）（６）…を下向にして該嵌合突起（８）（８）…と該嵌合凹部（９）（９）…を嵌合連結して数条並設して配列した後に、該長方形土台ブロック（１）の長手底部（５）の上部に交差状に数条の長方形基本ブロック（２）を図１４の如く上向に載置並設する。その後、該長方形基本ブロック（２）の上部に該長方形土台ブロック（１）の該山型突部（６）（６）…を下向にして再度交差状に積層組合せ施工する。該長方形基本ブロック（２）の端部の山型凹部（１２）に対して、該端部ブロック（３）の挿嵌三角部（１８）を嵌装したものである。なお図１１に示すものは、従来の単体の四角形ブロック（２０）を示したものであって、必要に応じて使用するものである。
【００１０】
【作用】
上記のように構成されている軟弱地盤のブロック基礎施工法の用法を説明すると、図１４に示す如く、最初に軟弱地盤等に砕石を敷設し、次に長方形土台ブロック（１）（１）…の山型突部（６）（６）…を下向に数条所定の大きさに嵌合突起（８）（８）…と嵌合凹部（９）（９）…とを嵌合組合せて並設し、そして該長方形土台ブロック（１）の長手底部（５）の上部に交差するように長方形基本ブロック（２）（２）…を図１３のように交互にずらして数条上向に嵌合突起（１６）（１６）…と嵌合凹部（１７）（１７）とを嵌合組合せて並設する。その後、長方形基本ブロック（２）（２）…の上部より交差するように長方形土台ブロック（１）（１）…を複数並設して組立施工するものである。なお、該長方形基本ブロック（２）（２）…の山型凹部（１２）の凹部に対して端部ブロック（３）の挿嵌三角部（１８）を嵌合すると平坦な突部が形成されるものである。また、該外部突出山型部（１４）の該傾斜突出部（１５）は、隣接するブロックの山型突部（１１）の傾斜面と係合連結状態となると共に、該傾斜突出部（１５）の下面の空間に端部ブロック（３）を当接嵌装するものである。更に、該傾斜突出部（１５）を組合せ状態の結果で突設した時は、その傾斜突出部（１５）を打破して取り除けばよいものである。
【００１１】
【発明の効果】
以上説明したように、本発明のブロック基礎施工法によれば、各種の廃材を以って長手方向の長方形のブロックを交差状に３段に積層組立てしたので、従来の円錐形及び三角形の単一製品のブロックと異なって、上下、左右、前後の揺れに非常に強く、耐震性に充分に対応できる優れた効果がある。そして、長方形土台ブロック及び長方形基本ブロックによって３段に交差状に並設組立てしたので、上方よりの荷重に対し各ブロックにも均一に分散して、最下段の長方形土台ブロックに伝わり、支持力の向上と盤構造による荷重の分散が行われ、充分に沈下も抑制できる効果がある。更に、長方形土台ブロックの下向の山型突部は、各山型の部分が地盤の砕石等に伝わり、山型突部が砕石等を四方から拘束し、荷重の分散が実施でき沈下を確実に防止する効果がある。
また、長方形基本ブロックには、山型突部と山型凹部の外に長手山型部と、外部突出山型部を形成したので、交差状に積層できると共に、該長手山型部は山型突部より荷載力が著しく向上し、且つ該外部突出山型部の傾斜突出部は、連接する他のブロックの端部の傾斜面と接合して隙間部を覆う便利な効果がある。更に、端部ブロックは、長方形基本ブロックが配列の際に生じた山型凹部に安定して嵌合組立てされ、強力化される効果がある。
なお、本発明における、各ブロックの構成材料に各種の産業廃棄物を利用したリサイクル製品として典型的な優れた効果がある。
【図面の簡単な説明】
【図１】本発明の長方形土台ブロックの正面図である。
【図２】同じく本発明の側面図である。
【図３】本発明の長方形土台ブロックの平面図である。
【図４】同じく本発明の底面図である。
【図５】本発明の長方形基本ブロックの正面図である。
【図６】同じく本発明の側面図である。
【図７】同じく本発明の平面図である。
【図８】本発明の長方形基本ブロックの底面図である。
【図９】本発明の端部ブロックの斜面図である。
【図１０】同じく本発明の端部ブロックの斜面図である。
【図１１】従来の四角形ブロックの斜面図である。
【図１２】本発明の長方形土台ブロックに対して長方形基本ブロックを２段に交差して積層した一部欠除した状態の斜面図である。
【符号の説明】
１　　　　長方形土台ブロック
２　　　　長方形基本ブロック
３　　　　端部ブロック
５，１０　長手底部
６，１１　山型突部
７，１２　山型凹部
８，１６　嵌合突起
９，１７　嵌合凹部
１３　　　長手山型部
１４　　　外部突出山型部
１５　　　傾斜突出部
１８　　　挿嵌三角部
２０　　　単体四角ブロック
【図１】
2004027807.tif 000003
【図２】
2004027807.tif 000004
【図３】
2004027807.tif 000005
【図４】
2004027807.tif 000006
【図５】
2004027807.tif 000007
【図６】
2004027807.tif 000008
【図７】
2004027807.tif 000009
【図８】
2004027807.tif 000010
【図９】
2004027807.tif 000011
【図１０】
2004027807.tif 000012
【図１１】
2004027807.tif 000013
【図１２】
2004027807.tif 000014
【図１３】
2004027807.tif 000015
【図１４】
2004027807.tif 000016
【手続補正書】
【提出日】平成14年9月5日(2002.9.5)
【手続補正１】
【補正対象書類名】明細書
【補正対象項目名】図面の簡単な説明
【補正方法】変更
【補正の内容】
【図面の簡単な説明】
【図１】本発明の長方形土台ブロックの正面図である。
【図２】同じく本発明の側面図である。
【図３】本発明の長方形土台ブロックの平面図である。
【図４】同じく本発明の底面図である。
【図５】本発明の長方形基本ブロックの正面図である。
【図６】同じく本発明の側面図である。
【図７】同じく本発明の平面図である。
【図８】本発明の長方形基本ブロックの底面図である。
【図９】本発明の端部ブロックの斜面図である。
【図１０】同じく本発明の端部ブロックの斜面図である。
【図１１】従来の四角形ブロックの斜面図である。
【図１２】本発明の長方形土台ブロックに対して長方形基本ブロックを２段に交差して積層した一部欠除した状態の斜面図である。
【図１３】本発明の２段目の基本ブロックを平面に列設した一部欠除した平面図である。
【図１４】同じく本発明の３段に積層した状態の縦断側面図である。
【符号の説明】
１　　　　　長方形土台ブロック
２　　　　　長方形基本ブロック
３　　　　　端部ブロック
５，１０　　長手底部
６，１１　　山型突部
７，１２　　山型凹部
８，１６　　嵌合突起
９，１７　　嵌合凹部
１３　　　　長手山型部
１４　　　　外部突出山型部
１５　　　　傾斜突出部
１８　　　　挿嵌三角部
２０　　　　単体四角ブロック